(57)【要約】【課題】限られた空間を有効活用しつつ、撮影装置における撮影方向の調整操作の手間を省くことが可能な情報処理システムを提供する。【解決手段】情報処理システムは、壁面に収納可能なテーブル１０と、展開状態のテーブル１０及びホワイトボードとして機能する収納部１３を選択的に撮影するカメラ５と、テーブル１０の収納状態及び展開状態の少なくとも一方を示す信号を出力するボタン６と、ボタン６から出力される信号に応じて、テーブル１０の収納状態及び展開状態を検出し、その検出されたテーブル１０の各状態に応じて、カメラ５の撮影方向を制御する制御部１０１を有するＰＣ１とを備えている。【選択図】図１
2009200649.tif 000002
【特許請求の範囲】
【請求項１】
壁面に収納可能な可倒板と、
展開状態の前記可倒板及びホワイトボードとして機能する壁面の一部を選択的に撮影する撮影装置と、
前記可倒板の収納状態及び展開状態の少なくとも一方を示す信号を出力する信号出力装置と、
前記信号出力装置から出力される信号に応じて、前記可倒板の収納状態及び展開状態を検出する検出手段、及び
前記検出手段により検出された可倒板の各状態に応じて、前記撮影装置の撮影方向を制御する制御手段を有する情報処理装置と
を備えることを特徴とする情報処理システム。
【請求項２】
前記信号出力装置は、前記可倒板の収納状態及び展開状態の少なくとも一方を示す信号を出力する第１モードと、ユーザの操作状態を示す信号を出力する第２モードとを備え、
前記検出手段は、前記信号出力装置から出力される信号に応じて、前記可倒板の収納状態及び展開状態並びにユーザの操作状態を検出し、
前記制御手段は、前記検出手段により検出された可倒板の各状態及びユーザの操作状態に応じて、前記撮影装置の撮影方向を制御することを特徴とする請求項１に記載の情報処理システム。
【請求項３】
前記検出手段が、前記信号出力装置から間欠的に出力される信号に応じて、ユーザの操作状態を検出した場合に、
前記制御手段は、前記撮影装置が前記展開状態の可倒板及び前記ホワイトボードとして機能する壁面の一部を交互に撮影するように前記撮影装置の撮影方向を制御することを特徴とする請求項２に記載の情報処理システム。
【請求項４】
さらに、外部装置から入力される情報を投影する投影装置を備え、前記制御手段は、前記検出手段により検出された可倒板の各状態に応じて、前記投影装置の投影方向を制御することを特徴とする請求項１に記載の情報処理システム。
【請求項５】
さらに、外部装置から入力される情報を投影する投影装置を備え、前記制御手段は、前記検出手段により検出されたユーザの操作状態に応じて、前記投影装置の投影方向を制御することを特徴とする請求項２に記載の情報処理システム。
【請求項６】
前記制御手段は、前記検出手段により前記可倒板が収納状態から展開状態に移行したことが検出されたときに、前記撮影装置及び前記投影装置の電源を投入することを特徴とする請求項４又は５に記載の情報処理システム。
【請求項７】
前記情報処理装置は、ネットワークを介して外部装置に接続されており、前記外部装置と音声通信を行う音声通信装置をさらに備え、
前記情報処理装置は、前記撮影装置で撮影された画像を前記外部装置に送信すると共に前記外部装置からの情報を前記投影装置を介して前記展開状態の可倒板及び前記ホワイトボードとして機能する壁面の一部の少なくともいずれか一方に投影することを特徴とする請求項１乃至６のいずれか１項に記載の情報処理システム。
【請求項８】
前記可倒板の裏面はホワイトボードとして機能することを特徴とする請求項１乃至５のいずれか１項に記載の情報処理システム。
【発明の詳細な説明】
【技術分野】
【０００１】
本発明は、情報処理システムに関する。
【背景技術】
【０００２】
従来より、カメラ等を備え、相手端末と会議を行うことが可能なテレビ会議装置が知られている（例えば、特許文献１参照）。このテレビ会議装置は、４本の脚で立脚する机と、相手端末からの映像を表示するモニタと、自機側の映像を相手端末に送信するＣＣＤカメラとを備えている。
【０００３】
また、この種のテレビ会議装置では、予め、テレビ会議前にＣＣＤカメラの撮影位置などをユーザがこまめに調整する必要がある。
【特許文献１】特開２００４−１１０７６８号公報
【発明の開示】
【発明が解決しようとする課題】
【０００４】
ところで、製造現場等では、会議を行う空間や場所は限られているため、この限られた空間を有効活用したいという要望がある。
【０００５】
しかしながら、上記テレビ会議装置では、４本の脚で立脚する机があるために、製造現場等の限られた空間では、利用しがたい場合があった。また、テレビ会議の度にＣＣＤカメラの撮影位置を調整する必要があるために、煩雑なカメラ操作が必要であった。
【０００６】
本発明の目的は、限られた空間を有効活用しつつ、撮影装置における撮影方向の調整操作の手間を省くことが可能な情報処理システムを提供することにある。
【課題を解決するための手段】
【０００７】
上記目的を達成するため、情報処理システムは、壁面に収納可能な可倒板と、展開状態の前記可倒板及びホワイトボードとして機能する壁面の一部を選択的に撮影する撮影装置と、前記可倒板の収納状態及び展開状態の少なくとも一方を示す信号を出力する信号出力装置と、前記信号出力装置から出力される信号に応じて、前記可倒板の収納状態及び展開状態を検出する検出手段、及び前記検出手段により検出された可倒板の各状態に応じて、前記撮影装置の撮影方向を制御する制御手段を有する情報処理装置とを備えることを特徴とする。
【０００８】
好ましくは、前記信号出力装置は、前記可倒板の収納状態及び展開状態の少なくとも一方を示す信号を出力する第１モードと、ユーザの操作状態を示す信号を出力する第２モードとを備え、前記検出手段は、前記信号出力装置から出力される信号に応じて、前記可倒板の収納状態及び展開状態並びにユーザの操作状態を検出し、前記制御手段は、前記検出手段により検出された可倒板の各状態及びユーザの操作状態に応じて、前記撮影装置の撮影方向を制御することを特徴とする。
【０００９】
より好ましくは、前記検出手段が、前記信号出力装置から間欠的に出力される信号に応じて、ユーザの操作状態を検出した場合に、前記制御手段は、前記撮影装置が前記展開状態の可倒板及び前記ホワイトボードとして機能する壁面の一部を交互に撮影するように前記撮影装置の撮影方向を制御することを特徴とする。
【００１０】
好ましくは、情報処理システムは、さらに、外部装置から入力される情報を投影する投影装置を備え、前記制御手段は、前記検出手段により検出された可倒板の各状態に応じて、前記投影装置の投影方向を制御することを特徴とする。
【００１１】
より好ましくは、情報処理システムは、さらに、外部装置から入力される情報を投影する投影装置を備え、前記制御手段は、前記検出手段により検出されたユーザの操作状態に応じて、前記投影装置の投影方向を制御することを特徴とする。
【００１２】
さらに好ましくは、前記制御手段は、前記検出手段により前記可倒板が収納状態から展開状態に移行したことが検出されたときに、前記撮影装置及び前記投影装置の電源を投入することを特徴とする。
【００１３】
好ましくは、前記情報処理装置は、ネットワークを介して外部装置に接続されており、前記外部装置と音声通信を行う音声通信装置をさらに備え、前記情報処理装置は、前記撮影装置で撮影された画像を前記外部装置に送信すると共に前記外部装置からの情報を前記投影装置を介して前記展開状態の可倒板及び前記ホワイトボードとして機能する壁面の一部の少なくともいずれか一方に投影することを特徴とする。
【００１４】
好ましくは、前記可倒板の裏面はホワイトボードとして機能することを特徴とする。
【発明の効果】
【００１５】
請求項１の発明によれば、限られた空間を有効活用しつつ、撮影装置における撮影方向の調整操作の手間を省くことができる。
【００１６】
請求項２の発明によれば、可倒板の収納状態及び展開状態のみならず、ユーザの操作状態をも検出することができ、ユーザの操作状態に応じた撮影装置の撮影方向を制御することができる。
【００１７】
請求項３の発明によれば、ユーザの操作状態に応じた撮影方向の調整操作の手間を省くことができる。
【００１８】
請求項４の発明によれば、限られた空間を有効活用しつつ、撮影装置における撮影方向及び投影装置における投影方向の調整操作の手間を省くことができる。
【００１９】
請求項５の発明によれば、限られた空間を有効活用しつつ、撮影装置における撮影方向及び投影装置における投影方向の調整操作の手間を省くことができる。
【００２０】
請求項６の発明によれば、撮影装置及び投影装置の電源投入の手間を省くことができる。
【００２１】
請求項７の発明によれば、ホワイトボードを使った会議及び実物である対象物を使った会議の少なくともいずれか一方を外部装置との間で実行できる。
【００２２】
請求項８の発明によれば、可倒板の収納状態において、可倒板の裏面をホワイトボードとして使用することができると共にホワイトボードに記載した内容を撮影することができる。
【発明を実施するための最良の形態】
【００２３】
以下、本発明の実施の形態について、図面を参照して説明する。
【００２４】
図１は、本発明の実施の形態に係る情報処理システムの構成を示すブロック図である。
【００２５】
図１の情報処理システムは、サーバとして機能するパーソナルコンピュータ（ＰＣ）１（情報処理装置）、クライアントとして機能するＰＣ２（外部装置）を備えており、これらは、ネットワーク３を介して互いに接続されている。ＰＣ１には、プロジェクタ４（投影装置）、カメラ５（撮影装置）、ボタン６（信号出力装置）、マイク７（音声通信装置）及びスピーカ８（音声通信装置）が接続されている。
【００２６】
プロジェクタ４は、ＰＣ１からの制御コマンドに基づいて、テーブル１０上に載置された対象物９に対して、単なる光線を照射する又はアノテーション画像（注釈画像）等を投影する。尚、アノテーション画像は、線、文字、記号、図形、色、フォント（書体）等のあらゆる態様の画像を含む。
【００２７】
テーブル１０は可倒板で構成されており、閉じた状態では壁１１に収納可能であると共に、開いた（倒れた）状態では、壁１１に対して垂直方向に延びる。壁１１は、テーブル１０を収納する収納部１３を備えており、この収納部１３はプロジェクタ４からの画像を投影するホワイトボードの役割を果たす。また、プロジェクタ４は、ＰＣ１からの制御信号に従って、投影方向をテーブル１０側（即ち、下方向）及び収納部１３側（即ち、横方向）のいずれかに切り換えて、画像を投影する。
【００２８】
カメラ５は、ＰＴＺ（Pan-Tilt-Zoom）カメラで構成され、対象物９を含むテーブル１０の反射画像を撮影し、撮影画像をＰＣ１に出力する。即ち、カメラ５は、対象物９の全体像を撮影する。また、カメラ５は、ＰＣ１からの制御信号に従って、撮影方向をテーブル１０側（即ち、下方向）及び収納部１３側（即ち、横方向）のいずれかに切り換えて、画像を撮影する。
【００２９】
また、収納部１３と同様に、テーブル１０の裏面１０−１、即ち、テーブル１０が閉じた状態（即ち、壁１１に収納された状態）で壁１１の一部を構成する面もホワイトボードの機能を果たす。これにより、テーブル１０が壁１１に収納された状態でも、プロジェクタ４はテーブル１０の裏面１０−１に画像を投影することができ、カメラ５はテーブル１０の裏面１０−１に投影された画像を撮影することができる。
【００３０】
マイク７は、ＰＣ１のユーザの指示などの音声を入力し、ＰＣ２に接続されているスピーカ１９へ出力する。スピーカ８は、ＰＣ２に接続されているマイク１８から入力されたＰＣ２のユーザの指示などの音声を出力する。
【００３１】
ＰＣ１は、カメラ５より撮影された撮影画像をネットワーク３を介してＰＣ２に出力する。ＰＣ２は、表示部２０５、マイク１８及びスピーカ１９に接続されており、表示部２０５は、撮影画像の表示領域１５びユーザインターフェース（ＵＩ）１６を表示する。尚、ＰＣ２は、表示部２０５を備える一体型のパーソナルコンピュータで構成してもよい。
【００３２】
マイク１８は、ＰＣ２のユーザの指示などの音声を入力し、ＰＣ１に接続されているスピーカ８へ出力し、スピーカ１９は、ＰＣ１に接続されているマイク７から入力されたＰＣ１のユーザの指示などの音声を出力する。ＰＣ１側のユーザとＰＣ２側のユーザは、それぞれマイク７及びスピーカ８、並びにマイク１８及びスピーカ１９を使って、互いに音声でコミュニケーションをする。
【００３３】
ＵＩ１６は、ペン、テキスト、及び消去などのボタン群と、線種や色種のアイコンとを含む。表示領域１５には、カメラ５で撮影された撮影画像が表示される。同図においては、対象物９を含むテーブル１０をカメラ５により撮影した撮影画像が表示領域１５に表示されている。
【００３４】
例えば、ＵＩ１６のペンボタンが押下されて、表示領域１５内の対象物９上に図形１２が記載されると、当該図形１２の情報はＰＣ２からＰＣ１を介してプロジェクタ４に出力される。プロジェクタ４は当該図形１２の情報に基づいて対象物９上に図形１２を描く。
【００３５】
また、ＰＣ２は、ＰＣ１に対して制御コマンドを出力し、プロジェクタ４、及びカメラ５の動作（例えば、カメラ５の撮影角度、カメラ５の撮影画像の明るさ、プロジェクタ４の投影角度及びプロジェクタ４の投影画像の明るさなど）を制御することができる。
【００３６】
尚、同図においては、クライアントは、ＰＣ２の１台が記載されているが、遠隔指示システムは、複数のクライアント（ＰＣ）を備えていてもよい。
【００３７】
図２は、ＰＣ１〜２の機能構成を示すブロック図である。
【００３８】
ＰＣ１は、装置全体を制御し、ボタン６の押下状態を検出し、プロジェクタ４、カメラ５、マイク７及びスピーカ８の動作を制御する制御部１０１（検出手段、制御手段）と、ネットワーク３を介してＰＣ２と情報やデータの送受信を行う送受信部１０２と、制御プログラム、データ及び情報等を記憶する記憶部１０３と、プロジェクタ４、カメラ５、ボタン６、マイク７及びスピーカ８と接続するためのインターフェイス（ＩＦ）部１０４と、表示部１０５とを備えている。制御部１０１は、送受信部１０２、記憶部１０３、ＩＦ部１０４及び表示部１０５に接続されており、さらにＩＦ部１０４を介してプロジェクタ４、カメラ５、ボタン６、マイク７及びスピーカ８に接続されている。
【００３９】
ＰＣ２は、装置全体を制御する制御部２０１と、ネットワーク３を介してＰＣ１と情報やデータの送受信を行う送受信部２０２と、制御プログラム、データ及び情報等を記憶する記憶部２０３と、マウスやキーボードなどで構成される操作部２０４と、表示部２０５と、マイク１８及びスピーカ１９と接続するためのインターフェイス（ＩＦ）部２０６とを備えている。制御部２０１は、送受信部２０２、記憶部２０３、操作部２０４、表示部２０５及びＩＦ部２０６に接続されている。
【００４０】
図３は、ＰＣ１のハードウエア構成を示すブロック図である。
【００４１】
ＰＣ１は、装置全体を制御するＣＰＵ２１、制御プログラムを備えるＲＯＭ２２、ワーキングエリアとして機能するＲＡＭ２３、各種の情報やプログラムを備えるハードディスクドライブ（ＨＤＤ）２４、他のコンピュータと接続するためのネットワークインターフェース２６、及び不図示のＵＳＢ機器と接続するためのＵＳＢ（universal serial bus）インターフェース２８を備えている。ＣＰＵ２１はシステムバス２９を介してＲＯＭ２２、ＲＡＭ２３、ハードディスクドライブ（ＨＤＤ）２４、ネットワークインターフェース２６及びＵＳＢインターフェース２８に接続されている。ＰＣ１はＵＳＢインターフェース２８を介してプロジェクタ４、カメラ５、ボタン６、マイク７及びスピーカ８に接続されている。尚、ＰＣ１は、マウス及びキーボード２５を備えていてもよい。
【００４２】
制御部１０１は、制御プログラムに従って各種の処理を実行するＣＰＵ２１に相当する。送受信部１０２は、ネットワークインタフェース２６に相当し、記憶部１０３は、ハードディスクドライブ（ＨＤＤ）２４に相当する。表示部１０５は、ディスプレイ２７に相当する。
【００４３】
ＰＣ２の構成は、ＰＣ１の構成で任意に追加されていたマウス及びキーボード２５を備えており、その他の構成は、ＰＣ１の構成と同一であるため、その説明を省略する。
【００４４】
図４（Ａ）は、ＰＣ１で実行される処理を示すフローチャートであり、図４（Ｂ）は（Ａ）のＰＣ１で実行される処理の第１の変形例を示すフローチャートである。
【００４５】
ＰＣ１の制御部１０１は、テーブル１０の位置検出モード（第１モード）を開始し（ステップＳ１）、テーブル１０が一定時間（例えば、３０秒間）開放されているか、即ち展開状態にあるか否かを判別する（ステップＳ２）。具体的には、制御部１０１は、ボタン６からの押下を示す信号を一定時間（例えば、３０秒間）受信していない場合には、テーブル１０が一定時間（例えば、３０秒間）開放されていると判別し、ボタン６からの押下を示す信号を一定時間（例えば、３０秒間）受信している場合には、テーブル１０が壁１１に収納されていると判別する。      
【００４６】
ステップＳ２でテーブル１０が一定時間開放されていない場合（ＮＯ）には、制御部１０１は、テーブル１０が壁１１に収納されている状態であることを検出し（ステップＳ４）、カメラ５の電源を投入し、カメラ５の向きを収納部１３側を撮影する横向きに変更する（ステップＳ５）。この後、カメラ５は撮影を開始する。
【００４７】
ステップＳ２でテーブル１０が一定時間開放されている場合（ＹＥＳ）には、制御部１０１は、テーブル１０が開放されている状態（即ち、展開状態）であることを検出し（ステップＳ３）、位置検出モードからユーザ操作検出モード（第２モード）に移行する（ステップＳ６）。次いで、制御部１０１は、ボタン６が押下されたか否かを判別する（ステップＳ７）。具体的には、制御部１０１はボタン６からの押下を示す信号を受信しているか否かに基づいてステップＳ７の判別を実行する。
【００４８】
尚、ステップＳ２とステップＳ７では、ボタン６の押下を示す信号、即ち、同種類の信号に基づいて異なる判別が行われている。換言すれば、１つのボタンに複数の機能を持たせている。ステップＳ２では、制御部１０１は、ボタン６からの押下を示す信号を一定時間（例えば、３０秒間）受信しているか否かを判別するのに対して、ステップＳ７では、制御部１０１はユーザが通常行うボタンの押下（例えば、０．１〜１秒間）が行われているか否かを判別するので、制御部１０１では正常な判別処理を実行することができる。
【００４９】
ステップＳ７でボタン６が押下されていない場合には、当該判別を繰り返す。一方、ステップＳ７でボタン６が押下された場合には、制御部１０１は、現在のカメラ５の向きが下向き（即ちテーブル１０を撮影する向き）であるか否かを判別する（ステップＳ８）。
【００５０】
ステップＳ８で、現在のカメラ５の向きが下向きである場合（ＹＥＳ）には、制御部１０１は、カメラ５の電源を投入し、カメラ５の向きを収納部１３側を撮影する横向きに変更し（ステップＳ９）、ステップＳ７に戻る。
【００５１】
一方、ステップＳ８で、現在のカメラ５の向きが下向きでない場合（ＮＯ）には、制御部１０１は、カメラ５の電源を投入し、カメラ５の向きをテーブル１０を撮影する下向きに変更し（ステップＳ１０）、ステップＳ７に戻る。ステップＳ９，１０の後、カメラ５は撮影を開始する。ステップＳ７〜Ｓ１０によれば、ボタン６の押下によりステップＳ９、Ｓ１０が交互に実行される操作、即ち、カメラ５の撮影向きを下向き又は横向きに交互に切り換えるトグル操作が実行される。
【００５２】
尚、図４（Ｂ）に示すように、ステップＳ７でボタン６が押下された場合には、制御部１０１は、カメラ５の電源を投入し、スナップショットを撮影してもよい（ステップＳ１１）。
【００５３】
図５は、ＰＣ１で実行される処理の第２の変形例を示すフローチャートである。
【００５４】
ＰＣ１の制御部１０１は、テーブル１０の位置検出モードを開始し（ステップＳ２１）、テーブル１０が一定時間（例えば、３０秒間）開放されているか、即ち展開された状態にあるか否かを判別する（ステップＳ２２）。
【００５５】
ステップＳ３２でテーブル１０が一定時間開放されていない場合（ＮＯ）には、制御部１０１は、テーブル１０が壁１１に収納されている状態であることを検出し（ステップＳ２４）、カメラ５及びプロジェクタ４の電源を投入し、カメラ５の向きを収納部１３側を撮影する横向きに変更すると共にプロジェクタ４の向きを収納部１３側に画像を投影する横向きに変更する（ステップＳ２５）。この後、カメラ５は撮影を開始すると共にプロジェクタ４は投影を開始する。
【００５６】
ステップＳ２２でテーブル１０が一定時間開放されている場合（ＹＥＳ）には、制御部１０１は、テーブル１０が開放されている状態（即ち、展開された状態）であることを検出し（ステップＳ２３）、位置検出モードからユーザ操作検出モードに移行する（ステップＳ２６）。次いで、制御部１０１は、ボタン６が押下されたか否かを判別する（ステップＳ２７）。
【００５７】
ステップＳ７でボタン６が押下されていない場合には、当該判別を繰り返す。一方、ステップＳ７でボタン６が押下された場合には、制御部１０１は、カメラ５及びプロジェクタ４の電源を投入し、トグルでカメラ５の撮影方向及びプロジェクタ４の投影方向を変更する（ステップＳ２８〜Ｓ３２）。
【００５８】
カメラ５の撮影方向及びプロジェクタ４の投影方向の組み合わせが、カメラ５の撮影方向が下向き且つプロジェクタ４の投影方向が横向き（状態Ａ）、カメラ５の撮影方向が下向き且つプロジェクタ４の投影方向が下向き（状態Ｂ）、カメラ５の撮影方向が横向き且つプロジェクタ４の投影方向が横向き（状態Ｃ）の３種類がある場合に、制御部１０１は、現在の状態が状態Ａであるか否かを判別する（ステップＳ２８）。ステップＳ２８でＹＥＳの場合には、制御部１０１は、状態Ａを状態Ｂに変更し（ステップＳ２９）、ステップＳ２７に戻る。この後、カメラ５の撮影及びプロジェクタ４の投影がそれぞれ開始される。
【００５９】
ステップＳ２９によれば、カメラ５の撮影方向が下向き且つプロジェクタ４の投影方向が下向きになるため、カメラ５が展開状態にあるテーブル１０上の対象物を撮影し、ＰＣ１がその撮影画像をＰＣ２に送信し、ＰＣ２の表示部２０５が当該撮影画像を表示することができると共に、ＰＣ２は、操作部２０４を介して入力したアノテーション画像をＰＣ１及びプロジェクタ４を介してテーブル１０上の対象物に投影することができる。よって、実物である対象物を使った遠隔会議を実行することができる。
【００６０】
ステップＳ２８でＮＯの場合には、制御部１０１は、現在の状態が状態Ｂであるか否かを判別する（ステップＳ３０）。ステップＳ３０でＹＥＳの場合には、制御部１０１は、状態Ｂを状態Ｃに変更し（ステップＳ３１）、ステップＳ２７に戻る。この後、カメラ５の撮影及びプロジェクタ４の投影がそれぞれ開始される。
【００６１】
ステップＳ３１によれば、カメラ５の撮影方向が横向き且つプロジェクタ４の投影方向が横向きになるため、カメラ５がホワイトボードの役割を果たす収納部１３を撮影し、ＰＣ１がその撮影画像をＰＣ２に送信し、ＰＣ２の表示部２０５が当該撮影画像を表示することができると共に、ＰＣ２は、操作部２０４を介して入力したアノテーション画像をＰＣ１及びプロジェクタ４を介してホワイトボードの役割を果たす収納部１３に投影することができる。よって、ホワイトボードを使った遠隔会議を実行することができる。
【００６２】
ステップＳ３０でＮＯの場合には、制御部１０１は、状態Ｃを状態Ａに変更し（ステップＳ３２）、ステップＳ２７に戻る。この後、カメラ５の撮影及びプロジェクタ４の投影がそれぞれ開始される。
【００６３】
ステップＳ３２によれば、カメラ５の撮影方向が下向き且つプロジェクタ４の投影方向が横向きになるため、カメラ５が展開状態にあるテーブル１０上の対象物を撮影し、ＰＣ１がその撮影画像をＰＣ２に送信し、ＰＣ２の表示部２０５が当該撮影画像を表示することができると共に、ＰＣ２は、操作部２０４を介して入力したアノテーション画像をＰＣ１及びプロジェクタ４を介してホワイトボードの役割を果たす収納部１３に投影することができる。よって、実物である対象物及びホワイトボードを使った遠隔会議を実行することができる。
【００６４】
以上詳細に説明したように、本実施の形態によれば、情報処理システムは、壁面に収納可能なテーブル１０と、展開状態のテーブル１０及びホワイトボードとして機能する収納部１３を選択的に撮影するカメラ５と、テーブル１０の収納状態及び展開状態の少なくとも一方を示す信号を出力するボタン６と、ボタン６から出力される信号に応じて、テーブル１０の収納状態及び展開状態を検出し、その検出されたテーブル１０の各状態に応じて、カメラ５の撮影方向を制御する制御部１０１を有するＰＣ１とを備えている。
【００６５】
よって、テーブル１０の収納状態時にホワイトボードとして機能する収納部１３を撮影すると共にテーブル１０の収納状態時にテーブル１０上に載置された対象物を撮影するようにカメラ５の撮影方向を制御することができ、限られた空間を有効活用しつつ、カメラ５における撮影方向の調整操作の手間を省くことができる。
【００６６】
また、ボタン６は、テーブル１０の収納状態及び展開状態の少なくとも一方を示す信号を出力する位置検出モードと、ユーザの操作状態を示す信号を出力するユーザ操作モードとを併せ持つため、制御部１０１は、テーブル１０の収納状態及び展開状態のみならず、ユーザの操作状態をも検出することができ、ユーザの操作状態に応じたカメラ５の撮影方向を制御することができる。
【００６７】
また、制御部１０１は、テーブル１０の収納状態及び展開状態及び／又はユーザの操作状態のいずれか一方に応じてプロジェクタ４の投影方向を制御することができるので、限られた空間を有効活用しつつ、プロジェクタ４における投影方向の調整操作の手間を省くことができる。
【００６８】
また、本実施の形態では、テーブル１０の展開状態及び収納状態によらず、制御部１０１は、カメラ５及びプロジェクタ４の電源を投入し、これらの撮影方向及び投影方向を制御したが、初期状態でカメラ５及びプロジェクタ４の電源をオフにしておき、制御部１０１は、テーブル１０が収納状態から展開状態に移行したことを検出したときに、カメラ５及びプロジェクタ４の電源を投入し、これらの撮影方向及び投影方向を制御するようにしてもよい。これにより、カメラ５における撮影方向及びプロジェクタ４における投影方向の調整操作の手間を省くことができると共に、カメラ５及びプロジェクタ４の電源投入の手間を省くことができる。さらに、制御部１０１は、テーブル１０が展開状態から収納状態に移行したことを検出したときに、カメラ５及びプロジェクタ４の電源をオフにしてもよい。これにより、カメラ５及びプロジェクタ４の電源をオフにする手間を省くことができる。
【００６９】
尚、本実施の形態では、テーブル１０の展開状態及び収納状態並びにユーザの操作状態を検出するためにボタン６を使用したが、これに代えて、対象物を感知するセンサ等を利用してもよい。例えば、この場合、テーブル１０の収納状態時には当該センサから制御部１０１に信号が継続的に出力され、テーブル１０の展開状態時には当該センサから制御部１０１に信号が出力されない。これにより、テーブル１０の展開状態及び収納状態が検出される。ユーザがセンサ上に手をかざした場合には、当該センサから制御部１０１に信号が一時的に出力される。これにより、ユーザの操作状態も検出される。
【００７０】
ＰＣ１〜ＰＣ２の機能を実現するためのソフトウェアのプログラムが記録されている記録媒体を、各ＰＣに供給し、各ＰＣのＣＰＵが記憶媒体に格納されたプログラムを読み出し実行することによっても、上記実施の形態と同様の効果を奏する。プログラムを供給するための記憶媒体としては、例えば、ＣＤ−ＲＯＭ、ＤＶＤ、又はＳＤカードなどがある。
【００７１】
また、各ＰＣのＣＰＵが、各ＰＣの機能を実現するためのソフトウェアのプログラムを実行することによっても、上記実施の形態と同様の効果を奏する。
【００７２】
なお、本発明は、上述した実施の形態に限定されるものではなく、その要旨を逸脱しない範囲内で種々変形して実施することが可能である。
【図面の簡単な説明】
【００７３】
【図１】本発明の実施の形態に係る情報処理システムの構成を示すブロック図である。
【図２】ＰＣ１〜２の機能構成を示すブロック図である。
【図３】ＰＣ１のハードウエア構成を示すブロック図である。
【図４】（Ａ）は、ＰＣ１で実行される処理を示すフローチャートであり、（Ｂ）は（Ａ）のＰＣ１で実行される処理の第１の変形例を示すフローチャートである。
【図５】ＰＣ１で実行される処理の第２の変形例を示すフローチャートである。
【符号の説明】
【００７４】
１，２  ＰＣ
３  ネットワーク
４  プロジェクタ
５  カメラ
６  ボタン
７，１８  マイク
８，１９  スピーカ
９  対象物
１０  テーブル
１０１，２０１  制御部
１０２，２０２  送受信部
１０３，２０３  記憶部
１０４，２０６  ＩＦ部
１０５，２０５  表示部
２０４  操作部
【図１】
2009200649.tif 000003
【図２】
2009200649.tif 000004
【図３】
2009200649.tif 000005
【図４】
2009200649.tif 000006
【図５】
2009200649.tif 000007